(57)【要約】【課題】出力の大きい加熱コイルの使い勝手が良い誘導加熱装置を提供する。【解決手段】加熱コイル１７、１８、１９のうちで出力が最大となる加熱コイル１７と使用者との距離が、他の加熱コイル１８、１９に比べて同じ又は近くなるよう、筐体１３内に配置する。【選択図】図１
2005243535.tif 000002
【特許請求の範囲】
【請求項１】
鍋などの被加熱体を誘導加熱する加熱コイルを３つ以上有し、前記加熱コイルのそれぞれに接続されたのインバータと、前記インバータ及び前記加熱コイルを内包する筐体とを備え、前記加熱コイルのうちで出力が最大となる加熱コイルは、操作側に位置する使用者との距離が他の加熱コイルに比べて同じ又は近くなるよう前記筐体内に配置した誘導加熱装置。
【請求項２】
加熱コイルのうちで出力が最小となる加熱コイルと使用者との距離が他の加熱コイルに比べて同じ又は遠くなるよう筐体内に配置した請求項１に記載の誘導加熱装置。
【請求項３】
出力が最小となる加熱コイルは、インバータの出力制御を行う制御手段と、前記制御手段に接続され被加熱体の温度を直接又は間接的に検知する温度を検知する温度検知手段を備え、前記制御手段は、前記温度検知手段の検知出力信号に基づき前記被加熱体の温度が略一定となるよう前記インバータの出力制御を行う請求項２に記載の誘導加熱装置。
【請求項４】
誘導加熱以外の加熱手段と、インバータ及び前記加熱手段への出力設定信号を出力する操作手段を備え、前記操作手段は、使用者による加熱コイルおよび加熱手段の出力設定の総和が機器の最大定格を越える場合には、出力が最小となる加熱コイルの出力を抑制又は停止させることで機器の最大定格を越えないようにするべくインバータ及び前記加熱手段への出力設定信号を出力する請求項２に記載の誘導加熱装置。
【請求項５】
操作手段は、表示部及び鳴動部を内包し、機器の最大定格を越えないよう出力を抑制又は停止するインバータ及び誘導加熱以外の加熱手段を、前記表示部による表示又は前記鳴動部による鳴動で報知する請求項４に記載の誘導加熱装置。
【請求項６】
加熱コイルを冷却する冷却ファンを備え、出力が最小となる加熱コイルは、他の加熱コイルに比べて前記冷却ファンからの冷却風量が少ない位置に配置した請求項２に記載の誘導加熱装置。
【請求項７】
複数の冷却ファンを備え、出力が最大となる加熱コイル直近に少なくとも１つの冷却ファンを配置し、前記加熱コイルに冷却風を送る請求項２に記載の誘導加熱装置。
【発明の詳細な説明】
【技術分野】
【０００１】
本発明は、誘導加熱調理器や、誘導加熱式の湯沸かし器、加湿器あるいはアイロン等の誘導加熱装置に関するものである。
【背景技術】
【０００２】
従来、この種の誘導加熱装置として、例えば、誘導加熱調理器に関して一方の加熱コイルが他方より強い加熱力を得られるための技術が知られている（例えば、特許文献１参照）。
【特許文献１】特開２００３−６８４３９号公報
【発明の開示】
【発明が解決しようとする課題】
【０００３】
しかしながら、前記従来の技術は、図３に示す誘導加熱調理器の分解斜視図のように、複数の回路ユニットへの送風分配を容易にするために１個のモータの両出力軸にそれぞれファンを設けたり、冷却が容易となる冷却ファンユニット側の加熱コイルを他の加熱コイルよりも通電可能な最大電流値を大とするものである。
【０００４】
そのため、回路構成に伴い冷却ファン位置が変更されれば、出力が大となる加熱コイルが、使用頻度が高いにも関わらず、使用者に対して遠い位置になる場合もある。例えば、特に３つ以上の加熱コイルを備えた誘導加熱調理器では、回路構成が複雑となって冷却ファン位置が制限され、結果として使用者が不便を感じるといった課題が考えられる。
【０００５】
本発明は、前記従来の課題を解決するもので、出力の大きい加熱コイルの使い勝手が良い誘導加熱装置を提供することを目的としている。
【課題を解決するための手段】
【０００６】
前記従来の課題を解決するために、本発明の誘導加熱装置は、加熱コイルのうちで出力が最大となる加熱コイルと使用者との距離が、他の加熱コイルに比べて同じ又は近くなるよう、筐体内に配置するものである。
【０００７】
これによって、使用頻度の高い、出力が最大となる加熱コイルが、使用者に近い位置となるため、使い勝手の良い誘導加熱装置とすることが可能である。
【発明の効果】
【０００８】
本発明の誘導加熱装置は、使用頻度の高い、出力の大きい加熱コイルの使い勝手が良い誘導加熱装置を提供することができる。
【発明を実施するための最良の形態】
【０００９】
第１の発明は、鍋などの被加熱体を誘導加熱する加熱コイルを３つ以上有し、前記加熱コイルのそれぞれに接続されたのインバータと、前記インバータ及び前記加熱コイルを内包する筐体とを備え、前記加熱コイルのうちで出力が最大となる加熱コイルは、操作側に位置する使用者との距離が他の加熱コイルに比べて同じ又は近くなるよう前記筐体内に配置した誘導加熱装置とすることにより、使用頻度の高い、最大出力となる加熱コイルが使用者に近い位置にあるため、使い勝手を良くすることができる。
【００１０】
第２の発明は、特に第１の発明において、加熱コイルのうちで出力が最小となる加熱コイルと使用者との距離が、他の加熱コイルに比べて同じ又は遠くなるよう、筐体内に配置した誘導加熱装置とするものである。これにより、使用頻度の低い最小出力の加熱コイルが使用者から遠い位置にあり、他の加熱コイルの使い勝手が良い。また、出力が小さい加熱コイルは、既に加熱された被加熱体の保温や、煮込み料理などに適しており、被加熱体が戴置されたままの状態が長時間続くことがあるが、使用者から遠い位置にあるため、邪魔にならない。さらに、出力制御が通電、遮断でしかできず、通電時には最大出力となる抵抗体を利用したヒーターなどと異なり、インバータにより低い出力での連続加熱が可能となるため、特に保温、煮込み料理での焦げ付きを抑制することができる。
【００１１】
第３の発明は、特に、第２の発明において、出力が最小となる加熱コイルは、インバータの出力制御を行う制御手段と、前記制御手段に接続され被加熱体の温度を直接又は間接的に検知する温度を検知する温度検知手段を備え、前記制御手段は、前記温度検知手段の検知出力信号に基づき前記被加熱体の温度が略一定となるよう前記インバータの出力制御を行う誘導加熱装置とするものである。これにより、既に加熱された被加熱体の保温や、煮込み料理などを出力が小さい加熱コイルを用いて行うことで使用者の近傍のスペースが解放され使用者の操作性がさらに向上するものとなる。
【００１２】
第４の発明は、特に、第２の発明において、誘導加熱以外の加熱手段と、インバータ及び前記加熱手段への出力設定信号を出力する操作手段を備え、前記操作手段は、使用者による加熱コイルおよび加熱手段の出力設定の総和が機器の最大定格を越える場合には、出力が最小となる加熱コイルの出力を抑制又は停止させることで機器の最大定格を越えないようにするべくインバータ及び前記加熱手段への出力設定信号を出力するものである。出力の小さい加熱コイルの使用頻度は、他の加熱コイルに比べて低く、またもともと出力が小さいために、出力を抑制又は停止しても使用者が不便を感じることは少なく、効果的に機器の最大定格を越えない制御を行うことができる。
【００１３】
第５の発明は、特に、第４の発明において、操作手段は、表示部及び鳴動部を内包し、機器の最大定格を越えないよう出力を抑制又は停止するインバータ及び誘導加熱以外の加熱手段を、前記表示部による表示又は前記鳴動部による鳴動で報知する誘導加熱装置とするものである。機器の最大定格を越えるかどうかは使用者が判断できないため、表示や鳴動によって、どの加熱手段の出力が抑制されるのか、使用不可となるのかを使用者に対して明確にすることが可能になり、使い勝手が改善される。
【００１４】
第６の発明は、特に、第２の発明において、冷却ファンを備え、出力が最小となる加熱コイルは、他の加熱コイルに比べて前記冷却ファンからの冷却風量が少ない位置とする誘導加熱装置とするものである。複数のインバータ及び加熱コイルを備える誘導加熱装置では発熱量が多く、また冷却ファンの冷却風量も限られているために冷却が困難である。本発明では、他に比べて冷却の必要性が低い、出力の小さい加熱コイルに対する冷却風を少なく設定することにより、十分な冷却を可能にする。
【００１５】
第７の発明は、特に、第２の発明において、複数の冷却ファンを備え、出力が最大となる加熱コイル直近に少なくとも１つの冷却ファンを配置し、前記加熱コイルに冷却風を送る誘導加熱装置とするものである。これにより、発熱量の大きい加熱コイルに対して十分な冷却風を供給することができ、機器の安定な運転が可能となる。
【００１６】
以下、本発明の実施の形態について、図面を参照しながら説明する。なお、この実施の形態によって本発明が限定されるものではない。
【００１７】
（実施の形態１）
図１〜図２は、本発明の実施の形態１における誘導加熱装置を示すものであり、特に誘導加熱調理器に関するものである。
【００１８】
図１は、本発明の実施の形態１における誘導加熱調理器の概略分解斜視図を示すものであり、図２は、本発明の実施の形態１における誘導加熱調理器の概略構成図を示すものである。
【００１９】
図１及び図２において、筐体１３の内部には、第１のインバータ１４と、第２のインバータ１５と、第３のインバータ１６が備えている。また同様に、第１、第２及び第３のインバータ１４、１５、１６に接続された、第１、第２及び第３の加熱コイル１７、１８、１９も備えている。
【００２０】
加熱コイルのうちで出力が最大となる第１の加熱コイル１７と、第１の加熱コイル１７よりも出力が低く設定されている第３の加熱コイル１９は、機器の中で使用者に最も近い部分となる機器端面と第１の加熱コイル１７中心及び第３の加熱コイル１９中心との距離が、第２の加熱コイル１８に比べて小さくなるよう配置されている。すなわち、出力が最大となる第１の加熱コイル１７と使用者との距離は、他の加熱コイルに比べて同じ又は近くなるよう配置されている。
【００２１】
また加熱コイルのうちで出力が最小となる第２の加熱コイル１８は、機器の中で使用者に最も近い部分となる機器端面と第２の加熱コイル１８中心との距離が、第１の加熱コイル１７及び第３の加熱コイル１９に比べて大きくなるよう配置されている。すなわち、出力が最小となる第２の加熱コイル１８と使用者との距離が、他の加熱コイルに比べて遠くなるよう配置されている。
【００２２】
また筐体１３内部には、誘導加熱以外の加熱手段であるラジェントヒーター２０を備えている。
【００２３】
第１、第２及び第３のインバータ１４、１５、１６には、それぞれインバータの出力制御を行う第１、第２及び第３の制御手段２１、２２、２３が接続されている。
【００２４】
また、誘導加熱調理器の天面となるトッププレート２４には、操作手段２５が埋設されており、加えて第１、第２及び第３の制御手段２１、２２、２３に接続されている。操作手段２５は、使用者による出力設定に基づき、第１、第２及び第３のインバータ１４、１５、１６及びラジェントヒーター２０への出力設定信号を出力するものである。
【００２５】
トッププレート２４には、第１、第２及び第３の加熱コイル１７、１８、１９中心位置にそれぞれ第１、第２及び第３の温度検知手段２６、２７、２８が筐体１３内部から当接され、かつ、それぞれ第１、第２及び第３の制御手段２１、２２、２３に接続されている。すなわち、第１、第２及び第３の温度検知手段２６、２７、２８は、被加熱体２９の温度をトッププレート２４を介して間接的に検知しているものである。
【００２６】
さらに、使用者が操作手段２５を用いて第２のインバータ１５、第２の加熱コイル１８、第２の制御手段２２及び第２の温度検知手段２７の誘導加熱セットに対して、被加熱体２９の温度設定を伴う誘導加熱を設定した場合には、第２の温度検知手段２７は間接的に被加熱体２９の温度を検知する。第２の制御手段２２は、第２の温度検知手段２７の検知出力信号に基づき、被加熱体２９の温度が、操作手段２５における設定温度と同等の略一定となるよう、第２のインバータ１５の出力増減、加熱及び停止などの出力制御を行う。
【００２７】
また、第３のインバータ１６、第３の加熱コイル１９、第３の制御手段２３及び第３の温度検知手段２８の誘導加熱セットについても同様に、操作手段２５の温度設定に基づき、被加熱体２９の温度が同等の略一定となるよう出力制御される機能を有している。
【００２８】
操作手段２５は、使用者による出力設定の結果、機器の総出力が最大定格を越えると判断した場合には、機器の最大定格を越えないよう、出力が最小となる第２の加熱コイル１８に接続する第２のインバータ１５の出力を抑制するべく、出力設定信号を出力する。
【００２９】
さらに操作手段２５は、内包する表示部３０及び鳴動部３１でもって、機器の最大定格を越えないよう出力を抑制又は停止するインバータ及び誘導加熱以外の加熱手段であるラジェントヒーター２０を、表示部３０による表示又は鳴動部３１による鳴動で報知する。この場合は、第２のインバータ１５に対応する操作手段２５表示部３０に表示を行い、鳴動部３１であるブザーで使用者に報知する。
【００３０】
またラジェントヒーター２０動作時において、機器の最大定格を越えると判断した場合には、ラジェントヒーター２０と第２のインバータ１５が排他的に使用可能とするべく、それぞれに駆動、停止の出力設定信号を出力する。この場合も同様に、操作手段２５表示部３０に対応する表示を行い、ブザー３１で使用者に報知する。
【００３１】
筐体１３後方の使用者から遠い位置には、第１の冷却ファン３２が備えられており、第１、第２及び第３のインバータ１４、１５、１６や、第１、第２及び第３の加熱コイル１７、１８、１９、ラジェントヒーター２０など、筐体１３内部全体を冷却する構成となっている。第１の冷却ファン３２は、風量の大きい多翼ファンなどが用いられ、使用者に向かう方向へ冷却風を吐出するよう配置されている。吐出された冷却風は、筐体１３内部の仕切板（図示せず）などによって筐体１３内部を循環するよう誘導され、最終的には第２の加熱コイル１８近傍を冷却し、第２の加熱コイル１８後方から筐体１３外部へ排出される。そのため、出力が最小となる第２の加熱コイル１８は、他の加熱コイルに比べて第１の冷却ファン３２からの冷却風量が少ない位置に配置されていることになる。
【００３２】
また出力が最大となる第１の加熱コイル１７直近には、第２の冷却ファン３３が備えられており、第１の加熱コイル１７の方向へほとんど全ての冷却風を送るよう配置されている。
【００３３】
以上の構成において、本実施の形態の第１の作用を説明する。トッププレート２４には、出力が最大となる第１の加熱コイル１７、出力が最小となる第２の加熱コイル１８、出力がその中間となる第３の加熱コイル１９、誘導加熱以外の加熱手段であるラジェントヒーター２０の４種の加熱手段が配置されている。使用者は、加熱しようとする鍋などの被加熱体２９の形状、材質、被加熱体２９に含まれる調理物（図示せず）などに対して必要となる出力、制御に応じて、加熱手段を選択し、その加熱手段に相当する、トッププレート２４に埋設された操作手段２５を操作し、加熱開始、停止制御、出力設定を行う。
【００３４】
その際、特に高出力が必要となるフライパンでの炒め物調理では、焦げ付かず、熱が均等に加わるよう、使用者がフライパン内部の調理物をかきまぜたり、フライパンを上下、左右に動かす動作が生じる。またこういった高出力を要する調理は、全体の調理の大きな部分を占めるものである。
【００３５】
本実施の形態では、高出力である第１の加熱コイル１７が使用者に対して近い位置にあるために、使用頻度が高い、高出力を要する調理を容易に行うことが可能となり、非常に使い勝手が改善されるものである。
【００３６】
なお、本実施の形態では、第１の加熱コイル１７の出力が最大となる例を挙げたが、使用者に対して近い位置にある第１の加熱コイル１７及び第３の加熱コイル１９の出力が同じでかつ、他の加熱コイルに比べて大きくても同様の効果が得られる。
【００３７】
次に、本実施の形態の第２の作用を説明する。出力が最小となる第２の加熱コイル１８は、使用者から遠い位置にあるため、他の使用頻度の高い高出力の加熱コイルが使用者に近い位置となり、使い勝手が良い。また、出力が小さい第２の加熱コイル１８は、既に加熱された被加熱体２９の保温や、煮込み料理などに適しており、被加熱体２９が戴置されたままの状態が長時間続くことがあるが、使用者から遠い位置にあるため、邪魔にならない。さらに、出力制御が通電、遮断でしかできず、通電時には最大出力となる抵抗体を利用したヒーターなどと異なり、第２のインバータ１５により低い出力での連続加熱が可能となるため、特に保温、煮込み料理での焦げ付きを抑制することができる。
【００３８】
なお、温度検知手段２６、２７、２８は、トッププレート２４を介して間接的に被加熱体２９温度を検知する構成としたが、これに限定するものではない。例えば、トッププレート２４に設けられた穴部から温度検知手段２６、２７、２８を筐体１３外に露出させ、被加熱体２９に直接当接させ、温度検知する構成であっても良い。また被加熱体２９から放射される赤外線から温度を検知する温度検知手段２６、２７、２８であっても良い。
【００３９】
次に、本実施の形態の第３の作用を説明する。上記に説明したとおり、出力の最小となる第２の加熱コイル１８は、さほど出力を要しない被加熱体２９の保温、煮込み料理などに適している。特に第２の加熱コイル１８及び第２のインバータ１５の出力制御を行う第２の制御手段２２は、第２の温度検知手段２７が接続されており、被加熱体２９の温度をトッププレート２４を介して間接的に検知し、認識することができる。
【００４０】
そのため、使用者による温度設定に基づき、第２の制御手段２２は、被加熱体２９温度が設定温度と同等の略一定になるよう出力制御を行うことが可能である。従って、使用者が被加熱体２９の状態を確認しながら、出力設定を変更することが不要となる。被加熱体２９の保温や、煮込み料理などは、時間をかける調理動作であるが、使用者が付きっきりで出力設定を変更することがなくなり、手間がかからない。
【００４１】
次に、本実施の形態の第４の作用を説明する。電源容量には制限があり、設定された機器の最大定格を越えることは許されないが、加熱手段の選択、出力設定によっては、最大定格を越える組み合わせも考えられる。操作手段２５は、出力設定に基づき、総出力を判断し、最大定格を越える場合には、出力が最小となる第２の加熱コイル１８に接続する第２のインバータ１５の出力を、他の加熱コイルに接続されたインバータよりも優先的に抑制するべく、出力設定信号を出力する。
【００４２】
またラジェントヒーター２０が同時に使用されていた場合には、ラジェントヒーター２０と第２のインバータ１５が排他的に使用可能とするべく、それぞれに駆動、停止の出力設定信号を出力する。
【００４３】
出力の小さい第２の加熱コイル１８の使用頻度は、他の加熱コイルに比べて低く、またもともと出力が小さいために、出力を抑制又は停止しても使用者が不便を感じることは少なく、効果的に機器の最大定格を越えない制御を行うことができる。
【００４４】
次に、本実施の形態の第５の作用を説明する。機器の最大定格を越えるかどうかは使用者が判断できないため、機器の最大定格を越えないよう出力を抑制又は停止する加熱手段があっても使用者は分からないが、本実施の形態では、表示や鳴動によって、どの加熱手段の出力が抑制されるのか、使用不可となるのかを使用者に対して明確にすることが可能になり、使い勝手が改善される。
【００４５】
なお、本実施の形態では、表示部３０による表示、鳴動部３１による鳴動の両方で使用者に報知する例を挙げたが、そのどちらかであっても良い。しかしながら、両方であれば、使用者に対する報知がより確実なものになる。
【００４６】
なお、機器の最大定格を越えない限度の各加熱手段の最大出力を、表示部３０に表示する構成であれば、使用者の使い勝手はさらに向上する。
【００４７】
次に、本実施の形態の第６の作用を説明する。特に図示はしないが、筐体１３内部の仕切板などにより、第１の冷却ファン３２からの冷却風は、ラジェントヒーター２０、第１の加熱コイル１７及び第１のインバータ１４、第３の加熱コイル１９及び第３のインバータ１６、第２の加熱コイル１８及び第２のインバータ１５の順で通過していく。
【００４８】
その際、冷却風は各部を冷却しつつ通過していくために、次第に温度が上昇する。特に本実施の形態のように、複数のインバータ及び加熱コイルを備える誘導加熱調理器では、発熱量が多く、また第１の冷却ファン３２の冷却風量も限られているために冷却が困難である。最終的に第２の加熱コイル１８に到達した時には、冷却風温度は室温からかなり上昇している。さらに、筐体１３各部の隙間から漏れ出た冷却風もあるために、冷却風量も当初に比べ減少している。
【００４９】
しかしながら、第２の加熱コイル１８は、他の加熱コイルに比べて出力が小さく、冷却の必要性が低いために、到達、通過する冷却風が少なく設定されていても、十分な冷却が可能である。
【００５０】
次に、本実施の形態の第７の作用を説明する。出力が最大となる第１の加熱コイル１７は、流れる高周波電流量も大きく、発熱が大きい。そのため、第１の加熱コイル１７温度による制限で、出力の抑制又は停止が必要となる場合があるが、本実施の形態では、発熱量の大きい第１の加熱コイル１７に対して、専用冷却のための第２の冷却ファン３３を備えているため、十分な冷却風を供給することができ、機器の安定な運転が可能となる。
【産業上の利用可能性】
【００５１】
以上のように、本発明にかかる誘導加熱装置は、出力の大きい加熱コイルの使い勝手が良い誘導加熱装置を提供することができるので、誘導加熱調理器としてはもちろんのこと、アルミニウム等の高導電率かつ低透磁率材料を加熱するアイロンや、湯沸かし器、加湿器等、他の機器の誘導加熱装置としても有用である。
【図面の簡単な説明】
【００５２】
【図１】本発明の実施の形態１における誘導加熱調理器の概略分解斜視図
【図２】同誘導加熱調理器の概略構成図
【図３】従来の誘導加熱調理器の分解斜視図
【符号の説明】
【００５３】
１３  筐体
１４  第１のインバータ
１５  第２のインバータ
１６  第３のインバータ
１７  第１の加熱コイル
１８  第２の加熱コイル
１９  第３の加熱コイル
２０  誘導加熱以外の加熱手段（ラジェントヒーター）
２２  第２の制御手段
２５  操作手段
２７  第２の温度検知手段
２９  被加熱体
３０  表示部
【図１】
2005243535.tif 000003
【図２】
2005243535.tif 000004
【図３】
2005243535.tif 000005